【手続補正書】
【提出日】平成20年2月5日(2008.2.5)
【手続補正１】
【補正対象書類名】特許請求の範囲
【補正対象項目名】全文
【補正方法】変更
【補正の内容】
【特許請求の範囲】
【請求項１】
一般式Ｉ：
【化１】
2007536415.tif 000001
〔式中、
Ａは、４００ナノメートルと８００ナノメートルの間の可視領域で少なくとも部分的に吸収を示し、かつ下記で示される式ａ）〜ｇ）の少なくとも１つの基に結合している少なくとも１つのアゾ結合基を含む二色性残基を表わし、
【化２】
2007536415.tif 000002
式ａ）〜ｇ）の基は、非置換であってもよいか、フッ素、塩素、ヒドロキシ、−ＮＲ1Ｒ2により、又は１〜１０個の炭素原子を有する直鎖状若しくは分岐鎖状アルキル残基により一置換又は多置換されていてもよく、アルキル残基は、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＮＲ1−ＣＯ−、−ＣＯ−ＮＲ1−、−ＮＲ1−ＣＯ−Ｏ−、−Ｏ−ＣＯ−ＮＲ1−、−ＣＨ＝ＣＨ−、−Ｃ≡Ｃ−、−Ｏ−ＣＯ−Ｏ−により置換されていてもよく、Ｒ1及びＲ2は、水素又は低級アルキルを独立して表わし、
破線（ｉ）は、アゾ結合基への可能な結合を表わし；
Ｒは、水素又は低級アルキルを表わし；
Ｅは、それぞれ独立して、水素、低級アルキル、低級アシル、又はアクリロイル若しくはメタクリロイルから選択される重合性基を表わし；
Ｂは、下部構造IIの基を表わし、
【化３】
2007536415.tif 000003
ここで、破線（ii）は、アゾ発色団Ａへの結合を表わし；
Ｄ1，Ｄ2は、互いに独立して、芳香族又は脂環式基を表わし、これは非置換であるか、フッ素、塩素、シアノ、ニトロにより、又は１〜１０個の炭素原子を有する直鎖状若しくは分岐鎖状アルキル残基により置換されており、アルキル残基は、非置換であるか、フッ素により一置換又は多置換されており、ここで、１つ以上の隣接していないＣＨ2基は、独立して、Ｑにより置換されていてもよく、Ｑは、−Ｏ−、−ＣＯ−、−ＣＯ−Ｏ−、−Ｏ−ＣＯ−、−Ｓｉ（ＣＨ3）2−Ｏ−Ｓｉ（ＣＨ3）2−、−ＮＲ−、−ＮＲ−ＣＯ−、−ＣＯ−ＮＲ−、−ＮＲ−ＣＯ−Ｏ−、−Ｏ−ＣＯ−ＮＲ−、−ＮＲ−ＣＯ−ＮＲ−、−ＣＨ＝ＣＨ−、−Ｃ≡Ｃ−、−Ｏ−ＣＯ−Ｏ−を表わし、Ｒは、上記で与えられた意味を有し；
Ｚ1，Ｚ2は、互いに独立して、単一の共有結合又はスペーサー単位、例えば１〜８個の炭素原子を有する直鎖状又は分岐鎖状アルキレン残基を表わし、これは非置換であるか、シアノ若しくはハロゲノにより一置換されているか、又はハロゲノで多置換されており、ここで、１つ以上の隣接していないＣＨ2基は、独立して、Ｑ又は−ＣＲ＝Ｃ−ＣＯ−で置換されていてもよく、Ｑ及びＲは、上記で与えられた意味を有し；
ｍ1，ｍ2は、独立して、０又は１であり；
Ｓｐは、単一の共有結合又はスペーサー単位、例えば１〜２４個の炭素原子を有する直鎖状又は分岐鎖状アルキレン残基を表わし、これは非置換であるか、シアノ若しくはハロゲノにより一置換されているか、又はハロゲノで多置換されており、ここで、１つ以上の隣接していないＣＨ2基は、独立して、Ｑで置換されていてもよく、Ｑは、上記で与えられた意味を有し；
Ｌは、下部構造IIIの基を表わし、
【化４】
2007536415.tif 000004
ここで、
Ｘ1，Ｘ2は、互いに独立して、単一の共有結合又はスペーサー単位、例えば１〜８個の炭素原子を有する直鎖状又は分岐鎖状アルキレン残基を表わし、これは非置換であるか、シアノ若しくはハロゲノにより一置換されているか、又はハロゲノで多置換されており、ここで、１つ以上の隣接していないＣＨ2基は、独立して、−Ｏ−、−ＣＯ−、−ＣＯ−Ｏ−、−Ｏ−ＣＯ−、−Ｓｉ（ＣＨ3）2−Ｏ−Ｓｉ（ＣＨ3）2−、−ＮＥ−、−ＮＲ−ＣＯ−、−ＣＯ−ＮＲ−、−ＮＲ−ＣＯ−Ｏ−、−Ｏ−ＣＯ−ＮＲ−、−ＮＲ−ＣＯ−ＮＲ−、−ＣＨ＝ＣＨ−、−Ｎ＝ＣＲ−、−ＣＲ＝Ｎ−、−Ｃ≡Ｃ−、−Ｏ−ＣＯ−Ｏ−又は−ＣＲ＝Ｃ−ＣＯ−により置換されていてもよく、Ｒ及びＥは、上記で与えられた意味を有し；
Ｗは、スペーサー単位、例えば１〜２４個の炭素原子を有する直鎖状又は分岐鎖状アルキレン残基を表わし、これは非置換であるか、シアノ若しくはハロゲノにより一置換されているか、又はハロゲノで多置換されており、ここで、１つ以上の隣接していないＣＨ2基は、独立して、Ｑで置換されていてもよく、Ｑは、上記で与えられた意味を有し、ヘテロ原子は、互いに直接結合していないか、又は芳香族若しくは脂環式基と直接結合しておらず、これは非置換であるか、フッ素、塩素、シアノ、ニトロにより、又は１〜１０個の炭素原子を有する直鎖状若しくは分岐鎖状アルキル残基により置換されており、アルキル残基は、非置換であるか、フッ素により一置換又は多置換されており、ここで、１つ以上の隣接していないＣＨ2基は、独立して、Ｑで置換されていてもよく、Ｑは、上記で与えられた意味を有し；
ｎは、０又は１であり；或いは
式ｄ）の２つの基がＬに結合している場合は、Ｌは、下記で示される式ｈ）〜ｊ）の基を表わし、
【化５】
2007536415.tif 000005
式ｈ）〜ｊ）の基は、非置換であってもよいか、フッ素、塩素、ヒドロキシ、−ＮＲ1Ｒ2により、又は１〜１０個の炭素原子を有する直鎖状若しくは分岐鎖状アルキル残基により一置換又は多置換されていてもよく、アルキル残基は、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＮＲ1−ＣＯ−、−ＣＯ−ＮＲ1−、−ＮＲ1−ＣＯ−Ｏ−、−Ｏ−ＣＯ−ＮＲ1−、−ＣＨ＝ＣＨ−、−Ｃ≡Ｃ−、−Ｏ−ＣＯ−Ｏ−により置換されていてもよく、Ｒ1及びＲ2は、独立して、水素又は低級アルキルを表わし；
ＰＧは、重合性基を表わす〕
で示される重合可能な二色性アゾ染料。
【請求項２】
Ａが、式ａ）、ｂ）、ｃ）、ｄ）又はｇ）の少なくとも１つの基と結合している少なくとも１つのアゾ結合基を含み、式ａ）〜ｄ）又はｇ）の基が、非置換であってもよいか、塩素若しくは−ＣＨ3により一置換又は多置換されていてもよく、式ｂ）又はｇ）の基において、Ｒが、水素、メチル、エチル、プロピル又はイソプロピルを表わし、基ｂ）〜ｄ）において、Ｅが、それぞれ独立して、水素、メチル又はアセチルを表わす、請求項１記載の重合可能な二色性アゾ染料。
【請求項３】
Ａが、一般式IV： 
【化６】
2007536415.tif 000006
〔式中、破線（iii）は、基Ｂへの結合を表わし、
Ｇ1及びＧ2は、互いに独立して、１，４−フェニレンを表わし、これは非置換であるか、塩素若しくは−ＣＨ3により、又は式ａ）、ｂ）、ｃ）若しくはｄ）の基により一置換又は二置換されているが、但しＧ1は、式ｄ）の基を表わさず；
Ａｒ1は、１，４−フェニレンであり、これは非置換であるか、塩素若しくは−ＣＨ3により一置換又は二置換されているか、又は非置換の１，４−ナフチレンであり、但し、Ｇ1及びＧ2が場合により置換されている１，４−フェニレンである場合には、Ａｒ1は非置換の１，４−ナフチレンであり；
ｑ1は、０又は１であり；
Ｕは、１，４−フェニレン又は１，４−ナフチレンに結合する場合、単一の共有結合、−ＣＯ−Ｏ−、−Ｏ−ＣＯ−、−ＣＨ2−Ｏ−、−Ｏ−ＣＨ2−、−ＮＲ−若しくは−ＣＨ2−ＮＲ−、−ＮＲ−ＣＨ2−、−ＮＲ−ＣＯ−又は−ＣＯ−ＮＲ−を表わし、ここで、Ｅ及びＲは、上記で与えられた意味を有するか、或いはＵは、式ｂ）又はｃ）の基と結合する場合、共有単一結合、−ＣＨ2−ＣＨ2−又は−Ｏ−ＣＨ2…(iv)を表わし、ここで、Ｅ及びＲは、上記で与えられた意味を有し、破線（iv）は、式ｂ）又はｃ）の基への結合を表わす〕
で示される二色性残基である、請求項２記載の重合可能な二色性アゾ染料。
【請求項４】
Ｄ1及びＤ2が、互いに独立して、１，４−フェニレンを表わし、これは非置換であるか、フッ素、塩素、メチル、メトキシ、アシル若しくは−ＣＯ−Ｏ−ＣＨ3により一置換又は多置換されており；
ｍ1，ｍ2が、互いに独立して、０又は１であり；
Ｚ1及びＺ2が、互いに独立して、単一の共有結合、−Ｏ−、−ＣＯ−Ｏ−、−Ｏ−ＣＯ−、−ＣＨ2−Ｏ−又は−Ｏ−ＣＨ2−を表わす、
請求項３記載の重合可能な二色性アゾ染料。
【請求項５】
ＰＧが、ＣＨ2＝ＣＹ−ＣＯＯ−、ＣＨ2＝ＣＨ−Ｏ−、ＣＨ2＝ＣＨ−ＯＯＣ−、
【化７】
2007536415.tif 000007
を表わし、
ここで、Ｙが、水素又はメチルである 
請求項４記載の重合可能な二色性アゾ染料。
【請求項６】
Ｓｐが、単結合、エチレン、プロピレン、ブチレン、ペンチレン、ヘキシレン、へプチレン、オクチレン、ノニレン、デシレン、ウンデシレン、又はドデシレンを表わす 
請求項５記載の重合可能な二色性アゾ染料。
【請求項７】
Ｌが、式ｄ）の２つの基に結合する場合、式ｉ）の基を表わし、これが非置換であるか、メチルで一置換又は多置換されているか、或いは
下部構造IIIの基を表わし、ここで、
Ｘ1及びＸ2が、１，４−フェニレン又は１，４−ナフチレンに結合する場合、互いに独立して、単一の共有結合、−ＣＯ−Ｏ−、−Ｏ−ＣＯ−、−ＣＨ2−Ｏ−、−Ｏ−ＣＨ2−、−ＮＲ−若しくは−ＣＨ2−ＮＲ−、−ＮＲ−ＣＨ2−、−ＮＲ−ＣＯ−又は−ＣＯ−ＮＲ−を表わし、ここで、Ｅ及びＲが、上記で与えられた意味を有するか、或いは
式ｂ）又はｃ）の基に結合する場合、互いに独立して、単一の共有結合、−ＣＨ2−ＣＨ2−又は−Ｏ−ＣＨ…(iv)を表わし、ここで、Ｅ及びＲが、上記で与えられた意味を有し、破線（iv）が、式ｂ）又はｃ）の基への結合を表わし；
Ｗが、エチレン、プロピレン、ブチレン、ペンチレン、ヘキシレン、ヘプチレン、オクチレン、ノニレン、デシレン、ウンデシレン若しくはドデシレン；又は１，４−フェニレン、１，４−ナフチレン、１，５−ナフチレン若しくは２，６−ナフチレンを表わし、これが非置換であるか、フッ素、塩素、メチル、メトキシアシル若しくは−ＣＯ−Ｏ−ＣＨ3により一置換又は多置換されており；
ｎが、０又は１である
請求項６記載の重合可能な二色性アゾ染料。
【請求項８】
Ｇ1及びＧ2のうちの少なくとも１つが、１，４−フェニレンを表わし、これが非置換であるか、塩素若しくは−ＣＨ3により一置換又は二置換されている、請求項７記載の重合可能な二色性アゾ染料。
【請求項９】
Ｇ2が、１，４−フェニレンを表わし、これが非置換であるか、塩素若しくは−ＣＨ3により一置換又は二置換されている、請求項８記載の重合可能な二色性アゾ染料。
【請求項１０】
Ｇ1が、非置換の１，４−ナフチレンである、請求項９記載の重合可能な二色性アゾ染料。
【請求項１１】
Ａが、式IV： 
【化８】
2007536415.tif 000008
〔式中、破線（iii）は、基Ｂへの結合を表わし、
Ａｒ1，Ａｒ2は、互いに独立して、１，４−フェニレン、１，４−又は１，５−ナフチレンであり、これは非置換であるか、フッ素、塩素、ヒドロキシ、−ＮＲ1Ｒ2により、又は１〜１０個の炭素原子を有する直鎖状若しくは分岐鎖状アルキル残基により一置換又は多置換されており、アルキル残基は、非置換であるか、フッ素により一置換又は多置換されており、ここで、１つ以上の隣接していないＣＨ2基は、独立して、Ｑにより置換されていてもよく、Ｑは上記で与えられた意味を有し、Ｒ1及びＲ2は、独立して、水素又は低級アルキルを表わし；
ｑ1，ｑ2は、独立して、０又は１であり；
Ｇ1，Ｇ2は、互いに独立して、１，４−フェニレン、２，４−チアゾレン、２，５−チアゾレン又は式ａ１）〜ｇ）の基を表わし、
【化９】
2007536415.tif 000009
１，４−フェニレン、２，４−チアゾレン、２，５−チアゾレン及び式ａ１）〜ｇ）の基は、非置換であるか、フッ素、塩素、ヒドロキシ、−ＮＲ1Ｒ2により、又は１〜１０個の炭素原子を有する直鎖状若しくは分岐鎖状アルキル残基により一置換又は多置換されており、アルキル残基は、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＮＲ1−ＣＯ−、−ＣＯ−ＮＲ1−、−ＮＲ1−ＣＯ−Ｏ−、−Ｏ−ＣＯ−ＮＲ1−、−ＣＨ＝ＣＨ−、−Ｃ≡Ｃ−、−Ｏ−ＣＯ−Ｏ−により独立して置換されていてもよく、Ｒ1及びＲ2は、独立して、水素又は低級アルキルを表わし；
但し、Ｇ1は式ｄ）の基ではなく、
ここで、破線（ｉ）は、アゾ結合基への結合を表わし、Ｒ，Ｅは、上記で与えられた意味を有し；
Ｕは、単一の共有結合又はスペーサー単位、例えば１〜８個の炭素原子を有する直鎖状又は分岐鎖状アルキレン残基を表わし、これは非置換であるか、シアノ若しくはハロゲノにより一置換されているか、又はハロゲノで多置換されており、ここで、１つ以上の隣接していないＣＨ2基は、独立して、−Ｏ−、−ＣＯ−、−ＣＯ−Ｏ−、−Ｏ−ＣＯ−、−Ｓｉ（ＣＨ3）2−Ｏ−Ｓｉ（ＣＨ3）2−、−ＮＥ−、−ＮＲ−ＣＯ−、−ＣＯ−ＮＲ−、−ＮＲ−ＣＯ−Ｏ−、−Ｏ−ＣＯ−ＮＲ−、−ＮＲ−ＣＯ−ＮＲ−、−Ｎ＝ＣＲ−、−ＣＲ＝Ｎ−、−ＣＨ＝ＣＨ−、−Ｃ≡Ｃ−、−Ｏ−ＣＯ−Ｏ−又は−ＣＲ＝Ｃ−ＣＯ−により置換されていてもよく、Ｒ及びＥは、上記で与えられた意味を有し；
但し、Ｇ1及びＧ2が、場合により置換されている１，４−フェニレン、２，４−チアゾレン又は２，５−チアゾレンである場合、Ａｒ1及びＡｒ2のうちの少なくとも１つは、場合により置換されている１，４−ナフチレンである〕
で表わされる二色性残基である、請求項１記載の重合可能な二色性アゾ染料。
【請求項１２】
重合性基ＰＧが、互いに独立して、式：ＣＨ2＝ＣＹ−、ＣＨ2＝ＣＹ−ＣＯＯ−、ＣＨ2＝ＣＨ−ＣＯ−ＮＨ−、ＣＨ2＝Ｃ（Ｐｈ）−ＣＯ−ＮＨ−、ＣＨ2＝ＣＨ−Ｏ−、ＣＨ2＝ＣＨ−ＯＯＣ−、Ｐｈ−ＣＨ＝ＣＨ−、ＣＨ2＝ＣＨ−Ｐｈ−、ＣＨ2＝ＣＨ−Ｐｈ−Ｏ−、ＣＨ2＝ＣＨ−Ｐｈ−ＯＣＯ−、Ｒ3−Ｐｈ−ＣＨ＝ＣＨ−ＣＯＯ−、Ｒ2−ＯＯＣ−ＣＨ＝ＣＨ−Ｐｈ−Ｏ−、Ｎ−マレインイミジル、
【化１０】
2007536415.tif 000010
から選択され、
式中、Ｙが、互いに独立して、水素、クロロ又はメチルを表わし、Ｒ2が、水素又は低級アルキルであり、Ｒ3が、水素又は低級アルコキシであり、Ｐｈ−が、フェニルであり、そして−Ｐｈ−が、１，４−フェニレンである 
請求項１又は１１記載の重合可能な二色性アゾ染料。
【請求項１３】
重合性基ＰＧが、ＣＨ2＝ＣＹ−、ＣＨ2＝ＣＹ−ＣＯＯ−、ＣＨ2＝ＣＨ−Ｏ−、ＣＨ2＝ＣＨ−ＯＯＣ−、ＣＨ2＝ＣＨ−Ｐｈ−Ｏ−、ＣＨ2＝ＣＨ−Ｐｈ−ＯＣＯ−、
【化１１】
2007536415.tif 000011
であり、
ここで、Ｙが、水素又はアルキルである 
請求項１２記載の重合可能な二色性アゾ染料。
【請求項１４】
重合性基ＰＧが、ＣＨ2＝ＣＹ−ＣＯＯ−、ＣＨ2＝ＣＨ−Ｏ−、ＣＨ2＝ＣＨ−ＯＯＣ−、
【化１２】
2007536415.tif 000012
であり、
ここで、Ｙが、水素又はメチルである 
請求項１２記載の重合可能な二色性アゾ染料。
【請求項１５】
環Ｄ1及びＤ2が、互いに独立して、非置換の、飽和５員若しくは６員脂環式環又は６員若しくは１０員芳香族環であり、これらは非置換であるか、フッ素、塩素若しくはニトロにより又は１〜６個の炭素原子を有する直鎖状若しくは分岐鎖状アルキル残基により一置換又は多置換されており、アルキル残基が、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＮＲ2−ＣＯ−、−ＣＯ−ＮＲ2−、−ＮＲ2−ＣＯ−Ｏ−、−Ｏ−ＣＯ−ＮＲ2−、−ＣＨ＝ＣＨ−、−Ｃ≡Ｃ−、−Ｏ−ＣＯ−Ｏ−により置換されていてもよく、Ｒ2は、水素又は低級アルキルを表わす、請求項１又は１１〜１４のいずれか1項記載の重合可能な二色性アゾ染料。
【請求項１６】
環Ｄ1及びＤ2が、非置換シクロペンタン−１，３−ジイル、非置換１，３−ジオキサン−２，５−ジイル、非置換シクロヘキサン−１，４−ジイル、非置換ナフタレン−２，６−ジイル又は１，４−フェニレンであり、これらは非置換であるか、フッ素若しくは塩素により又は１〜３個の炭素原子を有する直鎖状若しくは分岐鎖状アルキル残基により一置換又は多置換されており、アルキル残基が、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＣＨ＝ＣＨ−、−Ｃ≡Ｃ−により置換されていてもよい、請求項１５記載の重合可能な二色性アゾ染料。
【請求項１７】
環Ｄ1及びＤ2が、１，４−フェニレンであり、これが非置換であるか、フッ素、塩素、メチル、メトキシ、アシル若しくは−ＣＯ−Ｏ−ＣＨ3により一置換又は多置換されている、請求項１５記載の重合可能な二色性アゾ染料。
【請求項１８】
Ｓｐが、単結合又は直鎖状若しくは分岐鎖状アルキレン基、例えば−（ＣＨ2）r−、また−（ＣＨ2）rＯ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ2−ＣＯ−（ＣＨ2）s−、−（ＣＨ2）r−ＮＲ2−ＣＯ−Ｏ−（ＣＨ2）s−、−（ＣＨ2ＣＨ2）u−（ＯＣＨ2ＣＨ2）v−であり、ここで、ｒ及びｓは、それぞれ１〜２２の整数であり、ｒ＋ｓの合計が、≦２３であり、ｕが、１〜１０の整数であり、ｖが、１〜７の整数であり、ｕ＋ｖの合計が、≦８であり、そしてＲ2が、水素又は低級アルキルを表わし、ヘテロ原子が互いに直接結合しないように基Ｂ及び重合性基のそれぞれに結合している、請求項１又は１１〜１７のいずれか１項記載の重合可能な二色性アゾ染料。
【請求項１９】
Ｓｐが、単結合又はＣ1-14直鎖状アルキレン基、特にエチレン、プロピレン、ブチレン、ペンチレン、ヘキシレン、ヘプチレン、オクチレン、ノニレン、デシレン、ウンデシレン、又はドデシレンである、請求項１８記載の重合可能な二色性アゾ染料。
【請求項２０】
Ｚ1及びＺ2基が、互いに独立して、単一の共有結合から、又は１〜８個の炭素原子を有する直鎖状若しくは分岐鎖状アルキレン残基からなる群より選択され、これが非置換であるか、フルオロで一置換又は多置換されており、ここで、１つ以上の隣接していないＣＨ2基は、独立して、−Ｏ−、−ＣＯ−、−ＣＯ−Ｏ−、−Ｏ−ＣＯ−、−ＮＲ2−ＣＯ−、−ＣＯ−ＮＲ2−、−ＮＲ2−ＣＯ−Ｏ−、−Ｏ−ＣＯ−ＮＲ2−、−ＣＨ＝ＣＨ−、−Ｃ≡Ｃ−、−Ｏ−ＣＯ−Ｏ−、−ＣＲ2＝Ｃ−ＣＯ−により置換されていてもよく、Ｒ2が、水素又は低級アルキルを表わす、請求項１又は１１〜１９のいずれか１項記載の重合可能な二色性アゾ染料。
【請求項２１】
Ｚ1及びＺ2が、互いに独立して、単一の共有結合から、又は１〜４個の炭素原子を有する直鎖状若しくは分岐鎖状アルキレン残基からなる群より選択され、ここで、１つ以上の隣接していないＣＨ2基は、独立して、−Ｏ−、−ＣＯ−Ｏ−、−Ｏ−ＣＯ−、ＣＨ＝ＣＨ−、−Ｃ≡Ｃ−、−Ｏ−ＣＯ−Ｏ−、−ＣＲ2＝Ｃ−ＣＯ−により置換されていてもよく、Ｒ2が、水素又は低級アルキルを表わす、請求項２０記載の重合可能な二色性アゾ染料。
【請求項２２】
Ｚ1及びＺ2が、互いに独立して、単一の共有結合、−Ｏ−、−ＣＯ−Ｏ−、−Ｏ−ＣＯ−、−ＣＨ2−Ｏ−又は−Ｏ−ＣＨ2−からなる群より選択される、請求項２０記載の重合可能な二色性アゾ染料。
【請求項２３】
Ｅが、水素、メチル、アセチル、アクリロイル及びメタクリロイルを表わす、請求項１又は１１〜２２のいずれか１項記載の重合可能な二色性アゾ染料。
【請求項２４】
Ｅが、水素、メチル及びアセチルを表わす、請求項２３記載の重合可能な二色性アゾ染料。
【請求項２５】
整数ｑ1＋ｑ2の合計が、０又は１である、請求項１１〜２４のいずれか１項記載の重合可能な二色性アゾ染料。
【請求項２６】
Ｗが、直鎖状又は分岐鎖状アルキレン基、例えば−（ＣＨ2）r−、また−（ＣＨ2）r−Ｏ−（ＣＨ2）s−、−（ＣＨ2）r−ＣＯ−Ｏ−（ＣＨ2）s−、−（ＣＨ2）r−Ｏ−ＣＯ−（ＣＨ2）s−、−（ＣＨ2）r−ＮＲ2−ＣＯ−（ＣＨ2）s−、−（ＣＨ2）r−ＮＲ2−ＣＯ−Ｏ−（ＣＨ2）s−、−（ＣＨ2ＣＨ2）u−（ＯＣＨ2ＣＨ2）v−であり、ここで、ｒ及びｓは、それぞれ１〜２２の整数であり、ｒ＋ｓの合計が、≦２３であり、ｕが、１〜１０の整数であり、ｖが、１〜７の整数であり、ｕ＋ｖの合計が、≦８であり、Ｒ2は、水素若しくは低級アルキルを表わすか、非置換の、飽和５員若しくは６員脂環式環又は６員若しくは１０員芳香族環を表わし、これらは非置換であるか、フッ素、塩素若しくはニトロにより、又は１〜６個の炭素原子を有する直鎖状若しくは分岐鎖状アルキル残基により一置換又は多置換されており、アルキル残基が、非置換であるか、フッ素により一置換又は多置換されており、ここで、１つ以上の隣接していないＣＨ2基は、独立して、−Ｏ−、−ＣＯ−Ｏ−、−Ｏ−ＣＯ−、−ＮＲ2−ＣＯ−、−ＣＯ−ＮＲ2−、−ＮＲ2−ＣＯ−Ｏ−、−Ｏ−ＣＯ−ＮＲ2−、−ＣＨ＝ＣＨ−、−Ｃ≡Ｃ−、−Ｏ−ＣＯ−Ｏ−により置換されていてもよく、Ｒ2が、水素又は低級アルキルを表わす、請求項１又は１１〜２５のいずれか１項記載の重合可能な二色性アゾ染料。
【請求項２７】
Ｗが、Ｃ1-14直鎖状アルキレン基、特にエチレン、プロピレン、ブチレン、ペンチレン、ヘキシレン、ヘプチレン、オクチレン、ノニレン、デシレン、ウンデシレン若しくはドデシレン；又は１，４−フェニレン、１，４−ナフチレン、１，５−ナフチレン若しくは２，６−ナフチレンであり、これらは非置換であるか、フッ素、塩素、メチル、メトキシ、アシル又は−ＣＯ−Ｏ−ＣＨ3により一置換又は多置換されている、請求項２６記載の重合可能な二色性アゾ染料。
【請求項２８】
Ｘ1，Ｘ2及びＵが、１，４−フェニレン又は１，４−ナフチレンに結合する場合、それぞれ独立して、単一の共有結合、−ＣＯ−Ｏ−、−Ｏ−ＣＯ−、−ＣＨ2−Ｏ−、−Ｏ−ＣＨ2−、−ＮＥ−、−ＣＨ2−ＮＥ−、−ＮＥ−ＣＨ2−、−Ｎ＝ＣＲ−、−ＣＲ＝Ｎ−、−ＮＲ−ＣＯ−又は−ＣＯ−ＮＲ−、より好ましくは単一の共有結合、−ＣＯ−Ｏ−、−Ｏ−ＣＯ−、−ＣＨ2−Ｏ−、−Ｏ−ＣＨ2−、−ＮＲ−若しくは−ＣＨ2−ＮＲ−、−ＮＲ−ＣＨ2−、−ＮＲ−ＣＯ−又は−ＣＯ−ＮＲ−を表わし、ここで、Ｅ及びＲは、上記で与えられた意味を有する、請求項１又は１１〜２７のいずれか１項記載の重合可能な二色性アゾ染料。
【請求項２９】
Ｘ1，Ｘ2及びＵが、式ｂ）、ｃ）又はｅ）の基に結合する場合、それぞれ独立して、単一の共有結合、−ＣＨ2−ＣＨ2−、−Ｏ−ＣＨ2…(iv)、−ＮＥ−ＣＨ2…(iv)、−ＣＨ＝ＣＨ−、−Ｏ−ＣＨ2−ＣＨ2−ＣＨ2…(iv)又は−ＮＥ−ＣＨ2−ＣＨ2−ＣＨ2…(iv）、より好ましくは単一の共有結合、−ＣＨ2−ＣＨ2−、−Ｏ−ＣＨ2…(iv)、−ＮＲ−ＣＨ2…(iv)又は−ＣＨ＝ＣＨ−、最も好ましくは単一の共有結合、−ＣＨ2−ＣＨ2−又は−Ｏ−ＣＨ2…(iv)を表わし、ここで、Ｅ及びＲは、上記で与えられた意味を有し、破線（iv）は、式ｂ）、ｃ）又はｅ）の基への結合を表わす、請求項１又は１１〜２８のいずれか１項記載の重合可能な二色性アゾ染料。
【請求項３０】
Ｘ1，Ｘ2及びＵが、式ｆ）又はｇ）の基に結合する場合、それぞれ独立して、−ＣＨ2−、−ＣＯ−、−ＣＨ2−ＣＨ2−ＣＨ2−、−Ｏ−ＣＨ2−ＣＨ2…(iv)、−ＮＥ−ＣＨ2−ＣＨ2…(iv)、−ＣＨ＝ＣＨ−ＣＨ2…(iv)、−ＯＣＯ−ＣＨ2…(iv)又は−ＣＨ2−ＯＣＯ…(iv)、好ましくは−ＣＨ2−又は−ＣＯ−を表わし、ここで、Ｅは、上記で与えられた意味を有し、破線（iv）は、式ｆ）又はｇ）の基への結合を表わす、請求項１又は１１〜２８のいずれか１項記載の重合可能な二色性アゾ染料。
【請求項３１】
Ｌが、式ｄ）の２つに基に結合する場合、下記で示される式ｈ）〜ｊ）
【化１３】
2007536415.tif 000013
（これらは非置換であるか、フッ素、塩素、メチル、メトキシ、アシル若しくは−ＣＯ−Ｏ−ＣＨ3により一置換又は多置換されている）の基および好ましくは式ｉ）（これは非置換であるか、メチルにより一置換又は多置換されている）の基を表わす、請求項１又は１１〜３０のいずれか１項記載の重合可能な二色性アゾ染料。
【請求項３２】
Ａｒ1及びＡｒ2が、互いに独立して、１，４−フェニレン又は１，４−ナフチレンであり、これらは非置換であるか、フッ素、塩素、−ＯＣＨ3若しくは−ＣＨ3により一置換又は二置換されており、但し、Ｇ1及びＧ2が、場合により置換されている１，４−フェニレンである場合には、Ａｒ1及びＡｒ2のうちの少なくとも１つは、場合により置換されている１，４−ナフチレンである、請求項１１〜３１のいずれか１項記載の重合可能な二色性アゾ染料。
【請求項３３】
Ａｒ1及びＡｒ2が、互いに独立して、１，４−フェニレンであり、これは非置換であるか、塩素若しくは−ＣＨ3により一置換又は二置換されいるか、又は非置換の１，４−ナフチレンであり、但し、Ｇ1及びＧ2が、場合により置換されている１，４−フェニレンである場合には、Ａｒ1またはＡｒ2の少なくとも１つは、非置換の１，４−ナフチレンである、請求項３２記載の重合可能な二色性アゾ染料。
【請求項３４】
Ｇ1及びＧ2が、互いに独立して、１，４−フェニレン又は１，４−ナフチレンであり、これらは非置換であるか、フッ素、塩素、−ＯＣＨ3若しくは−ＣＨ3により一置換又は二置換されており、好ましくは１，４−フェニレンであり、これは非置換であるか、塩素若しくは−ＣＨ3により一置換又は二置換されているか、又は非置換の１，４−ナフチレンであるか；或いは式ｂ）、ｃ）、ｄ）及びｅ）の基、好ましくは式ｂ）、ｃ）及びｄ）の基であり、これらは非置換であり、ここで、破線（ｉ）はアゾ結合基への結合を表わし、Ｒ、Ｅは、上記で与えられる意味を有するが、但し、Ｇ1は、式ｄ）の基
【化１４】
2007536415.tif 000014
または式ｆ）及びｇ）の基を表わさず、これらは非置換であり、ここで、破線（ｉ）はアゾ結合基への結合を表わし、Ｒは、水素又は低級アルキルを表わす、
【化１５】
2007536415.tif 000015
請求項１１〜３３のいずれか１項記載の重合可能な二色性アゾ染料。
【請求項３５】
Ｇ1及びＧ2が、互いに独立して、１，４−フェニレン又は１，４−ナフチレンであり、これらは非置換であるか、フッ素、塩素、−ＯＣＨ3若しくは−ＣＨ3により一置換又は二置換されており、好ましくは１，４−フェニレンであり、これは非置換であるか、塩素若しくは−ＣＨ3により一置換又は二置換されいるか、又は非置換の１，４−ナフチレンであるか；或いは
式ｂ）、ｃ）、ｄ）及びｅ）の基、好ましくは式ｂ）、ｃ）及びｄ）の基であり、これらは非置換であり、ここで、破線（ｉ）はアゾ結合基への結合を表わし、Ｒ、Ｅは、上記で与えられる意味を有するが、但し、Ｇ1は式ｄ）の基を表わさない、
【化１６】
2007536415.tif 000016
請求項３４記載の重合可能な二色性アゾ染料。
【請求項３６】
一般式Ｉ：
【化１７】
2007536415.tif 000017
〔式中、
Ａは、一般式IVの二色性残基を表わし：
【化１８】
2007536415.tif 000018
ここで、破線（iii）は、基Ｂへの結合を表わし、
Ｇ1及びＧ2は、互いに独立して、１，４−フェニレンを表わし、これは非置換であるか、塩素若しくは−ＣＨ3により一置換又は二置換されているか、又は非置換の１，４−ナフチレンであるか；或いは式ｂ）、ｃ）及びｄ）の基であり
【化１９】
2007536415.tif 000019
ここで、破線（ｉ）は、アゾ結合基への結合を表わし；
Ｒは、独立して、水素、メチル、エチル、プロピル又はイソプロピルを表わし；
Ｅは、互いに独立して、水素、メチル又はアセチルを表わし；
但し、Ｇ1は式ｄ）の基を表わさず；
Ａｒ1，Ａｒ2は、互いに独立して、１，４−フェニレンであり、これは非置換であるか、塩素若しくは−ＣＨ3により一置換又は二置換されているか、又は非置換の１，４−ナフチレンであり、但し、Ｇ1及びＧ2が場合により置換されている１，４−フェニレンである場合には、Ａｒ1又はＡｒ2の少なくとも１つは非置換の１，４−ナフチレンであり；
ｑ1，ｑ2は、独立して、０又は１であり、但し、整数の合計ｑ1＋ｑ2は、０又は１であり；
Ｕは、１，４−フェニレン又は１，４−ナフチレンに結合する場合、単一の共有結合、−ＣＯ−Ｏ−、−Ｏ−ＣＯ−、−ＣＨ2−Ｏ−、−Ｏ−ＣＨ2−、−ＮＲ−若しくは−ＣＨ2−ＮＲ−、−ＮＲ−ＣＨ2−、−ＮＲ−ＣＯ−又は−ＣＯ−ＮＲ−を表わし、ここで、Ｅ及びＲは、上記で与えられた意味を有するか、或いはＵは、式ｂ）又はｃ）の基に結合する場合、単一の共有結合、−ＣＨ2−ＣＨ2−又は−Ｏ−ＣＨ2…(iv)を表わし、ここで、Ｅ及びＲは、上記で与えられた意味を有し、破線（iv）は、式ｂ）又はｃ）の基への結合を表わし、
Ｂは、下部構造IIの基を表わし、
【化２０】
2007536415.tif 000020
ここで、破線（ii）は、アゾ発色団Ａへの結合を表わし；
Ｄ1及びＤ2は、互いに独立して、１，４−フェニレンを表わし、これは非置換であるか、フッ素、塩素、メチル、メトキシ、アシル若しくは−ＣＯ−Ｏ−ＣＨ3により一置換又は多置換されており；
ｍ1，ｍ2は、互いに独立して、０又は１であり；
Ｚ1及びＺ2は、互いに独立して、単一の共有結合、−Ｏ−、−ＣＯ−Ｏ−、−Ｏ−ＣＯ−、−ＣＨ2−Ｏ−又は−Ｏ−ＣＨ2−を表わし；
ＰＧは、ＣＨ2＝ＣＹ−ＣＯＯ−、ＣＨ2＝ＣＨ−Ｏ−、ＣＨ2＝ＣＨ−ＯＯＣ−、
【化２１】
2007536415.tif 000021
を表わし、
ここで、Ｙは、水素又はメチルであり；
Ｓｐは、単結合、エチレン、プロピレン、ブチレン、ペンチレン、ヘキシレン、へプチレン、オクチレン、ノニレン、デシレン、ウンデシレン、又はドデシレンを表わし；
Ｌは、式ｄ）の２つの基に結合する場合、式ｉ）の基を表わし、これは非置換であるか、メチルにより一置換又は多置換されているか、
【化２２】
2007536415.tif 000022
或いは下部構造IIIの基を表わし、
【化２３】
2007536415.tif 000023
ここで、
Ｘ1及びＸ2は、１，４−フェニレン又は１，４−ナフチレンに結合する場合、互いに独立して、単一の共有結合、−ＣＯ−Ｏ−、−Ｏ−ＣＯ−、−ＣＨ2−Ｏ−、−Ｏ−ＣＨ2−、−ＮＲ−若しくは−ＣＨ2−ＮＲ−、−ＮＲ−ＣＨ2−、−ＮＲ−ＣＯ−又は−ＣＯ−ＮＲ−を表わし、ここで、Ｅ及びＲは、上記で与えられた意味を有するか、或いは、式ｂ）又はｃ）の基と結合する場合、互いに独立して、単一の共有結合、−ＣＨ2−ＣＨ2−又は−Ｏ−ＣＨ2…(iv)を表わし、ここで、Ｅ及びＲは、上記で与えられた意味を有し、破線（iv）は、式ｂ）又はｃ）の基への結合を表わし；
Ｗは、エチレン、プロピレン、ブチレン、ペンチレン、ヘキシレン、ヘプチレン、オクチレン、ノニレン、デシレン、ウンデシレン若しくはドデシレン；又は１，４−フェニレン、１，４−ナフチレン、１，５−ナフチレン若しくは２，６−ナフチレンを表わし、これらは非置換であるか、フッ素、塩素、メチル、メトキシ、アシル若しくは−ＣＯ−Ｏ−ＣＨ3により一置換又は多置換されており；
ｎは、０又は１である〕
で示される重合可能な二色性アゾ染料。
【請求項３７】
重合可能な中間生成混合物の調製のための、請求項１〜３６のいずれか１項記載の重合可能な二色性アゾ染料の使用。
【請求項３８】
請求項１〜３６のいずれか１項記載の、式Ｉの少なくとも１つの重合可能な二色性アゾ染料を含む、重合可能な中間生成混合物。
【請求項３９】
重合可能な二色性アゾ染料が、０．０１〜５０重量％、より好ましくは０．０１〜２０重量％、最も好ましくは０．０１〜１０重量％の濃度である、請求項３８記載の重合可能な中間生成混合物。
【請求項４０】
別の二色性又は非二色性染料を更に含む、請求項３８又は３９のいずれか１項記載の重合可能な中間生成混合物。
【請求項４１】
少なくとも１種の重合性液晶化合物（ＬＣＰ）を更に含む、請求項３８〜４０のいずれか１項記載の重合可能な中間生成混合物。
【請求項４２】
架橋剤、安定剤及び光開始剤のような添加剤を更に含む、請求項３８〜４１のいずれか１項記載の重合可能な中間生成混合物。
【請求項４３】
特に請求項１〜３６のいずれか１項記載の、式Ｉの少なくとも１種の重合可能な二色性アゾ染料と、少なくとも１種の重合性液晶化合物と、場合により、架橋剤、安定剤及び光開始剤のような添加剤とを含む、重合可能な中間生成混合物。
【請求項４４】
特に請求項１〜３６のいずれか１項記載の、式Ｉの１〜４つの重合可能な二色性アゾ染料と、２個の重合性基を含む少なくとも１種の重合性液晶化合物と、場合により、架橋剤、安定剤及び光開始剤のような添加剤とを含む、重合可能な中間生成混合物。
【請求項４５】
（ｉ）少なくとも１種のキラル重合性液晶化合物、又は
（ii）少なくとも１種の重合性液晶化合物及び少なくとも１種のキラル成分 
のいずれかを含む、染色されたコレステリック層の作製のためにコレステリック相を誘導することができる、請求項３８〜４４のいずれか１項記載の重合可能な中間生成混合物。
【請求項４６】
二色性液晶ポリマーフィルムの調製のための、請求項３８〜４５のいずれか１項記載の重合可能な中間生成混合物の使用。
【請求項４７】
請求項３８〜４５のいずれか１項記載の重合可能な中間生成混合物を含む、二色性液晶ポリマーフィルム。
【請求項４８】
偏光子又は光フィルターのようなデバイスの製造のための、請求項４７記載の二色性液晶ポリマーフィルムの使用。
【請求項４９】
請求項３８〜４５のいずれか１項記載の重合可能な中間生成混合物を含む二色性液晶ポリマーフィルムの調製方法であって、
（ｉ）前記重合可能な中間生成混合物の溶液を、前記混合物を溶媒に溶解することによって調製すること、
（ii）前記溶液を異なるコーティング技術によって基材に適用すること、
（iii）溶媒を蒸発させてフィルムを得ること、及び
（iv）前記フィルムを、ＵＶ光線を使用して重合して、前記二色性液晶ポリマーフィルムを得ること 
を含む方法。
【請求項５０】
二色性液晶ポリマーフィルムが、酸素、ＵＶ照射又は機械的応力に対する保護のための保護層のような他の層で更に被覆されている、請求項４９記載の方法。
【請求項５１】
基材が、配向層を含む、ガラス又はプラスチックのような透明な基材を包含する、請求項４９又は５０記載の方法。
【請求項５２】
前記配向層が、擦られた（rubbed）ポリイミド若しくはポリアミド、又は好ましくは光配向可能な材料の層を含む、請求項５１記載の方法。
【請求項５３】
前記光配向可能な配向層が、線状光重合性ポリマー（ＬＰＰ）である、請求項５２記載の方法。
【請求項５４】
ＬＰＰ層とＬＣＰ層を交互に積み重ねて形成される多層系であって、ＬＣＰ層の少なくとも１つが、請求項４７記載の二色性液晶ポリマーフィルムであり、場合により、酸素若しくは湿気に対する保護層又は紫外線に対する保護のための層のような他の機能層で覆われている、多層系。
【請求項５５】
特に、請求項１〜３６のいずれか１項記載の、式Ｉの少なくとも１種の重合可能な二色性アゾ染料を含む配向層を調製する方法であって、
（ｉ）溶媒中に式Ｉの少なくとも１種の重合可能な二色性アゾ染料と光配向可能な材料を含む混合物の溶液を調製すること、
（ii）溶液を異なるコーティング技術を使用して基材に適用すること、
（iii）溶媒を蒸発させてフィルムを得ること、及び
（iv）前記フィルムを、直線偏光ＵＶ光線を使用し重合して、式Ｉに従う少なくとも１種の重合可能な二色性アゾ染料を含む前記配向層を得ること
による方法。
【請求項５６】
機密保護デバイスを含む電気光学及び光学デバイスの調製のための、請求項３８〜４５のいずれか１項記載の重合可能な中間生成混合物の使用。
【請求項５７】
機密保護デバイスを含む電気光学及び光学デバイスの調製のための、請求項４７記載の二色性液晶ポリマーフィルムの使用。
【請求項５８】
請求項３８〜４５のいずれか１項記載の重合可能な中間生成混合物から形成される二色性液晶ポリマーフィルムを含む、電気光学若しくは光学部品、又は気密保護デバイス。
【請求項５９】
請求項１〜３６のいずれか１項記載の、少なくとも１種の重合可能な二色性アゾ染料を含む配向層。
【請求項６０】
擦られたポリイミド若しくはポリアミド、又は好ましくは光配向可能な材料の層を更に含む、請求項５９記載の配向層。
【請求項６１】
構造化された若しくは構造化されていない光学フィルター、偏光子又は機密保護デバイスの素子のような光学又は電気光学部品の製造のための、請求項５９及び６０のいずれか１項記載の配向層の使用。